(57)【特許請求の範囲】
【請求項１】
基端へ向かって延びる複数の割溝（１２）が形成されたスリーブ部（１４）と末端へ向かって内面にねじ溝（１６）が形成されたねじ部（１８）が形成された円筒状のアンカー本体（２０）と、該アンカー本体の基端に截頭側から嵌め込まれた円錐台形状の拡開片（２２）と、から構成され、コンクリート構造物（３２）に穿設した下穴（３４）に挿入した後に、アンカー本体の末端を叩いて打ち込み、前記拡開片が前記スリーブ部を押し広げることで、コンクリート構造物に固定されたあと施工アンカー（１０）のうち打ち込み深さが不足したアンカー本体の一部を撤去するために、
ボルト頭部（２）と、
前記アンカー本体に螺合するねじ山が形成されたボルト部（４）と、
該ボルト部の先端にこれと同軸で、かつ、アンカー本体の内部に挿通可能な径の挿通部（６）と、からなり、
前記挿通部（６）の先端を半球状に形成し、前記拡開片（２２）の截頭面に押しつけられる面積を小さくし、
前記あと施工アンカーに前記ボルト部をねじ込み前記挿通部の先端を前記拡開片の截頭面に押しつけることによりアンカー本体をねじ切り撤去する、ことを特徴とするアンカー撤去工具。
【請求項２】
前記挿通部（６）の長さを前記ねじ部（１８）の長さの半分とした、ことを特徴とする請求項１に記載のアンカー撤去工具。
【請求項３】
前記アンカー本体（２０）と比して強靭な材料を用いて製作されている、ことを特徴とする請求項１又は２に記載のアンカー撤去工具。
【請求項４】
前記ボルト頭部（２）にハンドル（８）を設けた、ことを特徴とする請求項１、２又は３に記載のアンカー撤去工具。
【発明の詳細な説明】
【技術分野】
【０００１】
本発明は、仮設足場をコンクリート構造物の外壁等に一時的に固定等するためのあと施工アンカーを撤去するためのアンカー撤去工具に関する。
【背景技術】
【０００２】
経年劣化をしたコンクリート構造物の外壁の補修工事や屋根の防水修繕工事では、外部に仮設足場が必要となる。そのため、外壁に下穴を穿設しここにアンカー（「あと施工アンカー」と呼ぶ。）を打ち込み、このアンカーと仮設材場材を支持具によって連結することによって、仮設足場が倒壊しないよう固定している。
【０００３】
図８に従来から用いられている一般的なあと施工アンカーの側面視を部分断面図で示した。
図に示すようにこのあと施工アンカー（１０）は、筒状のアンカー本体（２０）と、アンカー本体（２０）の基端に先端側から嵌め込まれた円錐台形状の拡開片（２２）とから構成されており、アンカー本体（２０）はその中間部位か基端へ向かって延びる複数の割溝（１２）が形成されたスリーブ部（１４）と、先端部の内壁にねじ溝（１６）が形成されたねじ部（１８）とを有している。
なお仮設足場を固定するために一時的に用いられるあと施工アンカーは、一般的には軟鉄を材質とし、その表面は素地（無処理）そのままか電気めっきや溶融亜鉛めっきなどの処理が施されている。
【０００４】
このあと施工アンカー（１０）は、既設のコンクリート構造物の壁面にアンカーの全長程度の深さで予め穿設した下穴にその基端側から挿入し、壁面から突出したその先端部をハンマーで叩いて打ち込んでやることで、拡開片（２２）がアンカー本体（２０）のスリーブ部（１４）を押し広げ、このスリーブ部（１４）が下穴の内壁に喰い付くため、これによりアンカーをコンクリート構造物の壁面に強固に固定するものである。なおこのようにして壁面に打ち込んだアンカーは壁面とほぼ面一となるが、下穴をアンカーの全長より若干深く穿設し、アンカー打ち込み用の専用工具を用いることで、壁面より奥側にアンカーを固定してやることもできる。
【０００５】
そしてあと施工アンカー（１０）をコンクリート構造物の壁面に固定した後には、アンカー本体（２０）のねじ部（１８）に足場固定用の支持具を螺合して取り付け、この支持具と仮設足場とを連結することで、仮設足場を壁面に固定してその倒壊を防ぐようになっている。
【０００６】
一方、工事が完了し仮設足場が不要となった際には、壁面に打ち込んだあと施工アンカー（１０）はそのまま残置されるのが一般的である。あと施工アンカーをそのまま残置する際には、アンカーの先端部が壁面下となっている状態で、壁面の下穴を補修用のコンクリートを用いて塞いで補修してやる必要がある。
【０００７】
なお、この種のあと施工アンカーを開示する公知刊行物として次の特許文献１が存在する。
【先行技術文献】
【特許文献】
【０００８】
【特許文献１】特開平９−２０９４５７号公報
【発明の概要】
【発明が解決しようとする課題】
【０００９】
しかしながら、このようにあと施工アンカーをそのまま残置する場合、十分な打ち込み深さがないことから補修用コンクリートのかぶり厚が薄くアンカーは壁面表面に近くなるため、中長期的にはアンカーが錆び、修繕工事を完了した壁面の近くでの錆び膨張によるふくれや壁面の爆裂などが発生するおそれがあった。
また、アンカーの下穴深さ不足により、工事完了後の補修が困難な状況に遭遇することもあり、このような場合、アンカー先端のスリーブ部が広がっており容易には抜き取ることができないため、アンカーの周囲の壁面をこれとほぼ同じ深さまでハツリ壊してアンカーを抜き取ってやる必要があった。しかし、ハツリ作業には多くの手間と時間を要し、また、ハツリ箇所の補修にも多大な費用と時間を要するといった問題もあった。そのためこのような場合には、補修もしないままアンカーが放置されるのが実際であった。
【００１０】
本発明者は上記問題点を解決すべく鋭意検討を重ねた結果、本発明を完成したものである。すなわち本発明は、従来から用いられているあと施工アンカーに改変を加えなくそのまま用いる場合であっても、必要十分な補修用コンクリートのかぶり厚を確保してアンカーの錆の発生を回避することができ、また、アンカーの下穴深さが不足している場合にも、ある程度のかぶり厚を確保して補修用コンクリートによる補修を可能とすることができるアンカー撤去工具を提供するものである。
【課題を解決するための手段】
【００１１】
上記問題を解決するために本発明のアンカー撤去工具は、基端へ向かって延びる複数の割溝（１２）が形成されたスリーブ部（１４）と末端へ向かって内面にねじ溝（１６）が形成されたねじ部（１８）が形成された円筒状のアンカー本体（２０）と、該アンカー本体の基端に截頭側から嵌め込まれた円錐台形状の拡開片（２２）と、から構成され、コンクリート構造物（３２）に穿設した下穴（３４）に挿入した後に、アンカー本体の末端を叩いて打ち込み、前記拡開片が前記スリーブ部を押し広げることで、コンクリート構造物に固定されたあと施工アンカー（１０）のうち打ち込み深さが不足したアンカー本体の一部を撤去するために、
ボルト頭部（２）と、
前記アンカー本体に螺合するねじ山が形成されたボルト部（４）と、
該ボルト部の先端にこれと同軸で、かつ、アンカー本体の内部に挿通可能な径の挿通部（６）と、からなり、
前記挿通部（６）の先端を半球状に形成し、前記拡開片（２２）の截頭面に押しつけられる面積を小さくし、
前記あと施工アンカーに前記ボルト部をねじ込み前記挿通部の先端を前記拡開片の截頭面に押しつけることによりアンカー本体をねじ切り撤去する、ことを特徴とする。
【００１３】
また、前記挿通部（６）の長さを前記ねじ部（１８）の長さの半分とする、ことが好ましい。
【００１４】
なお、前記アンカー本体（２０）と比して強靭な材料を用いて製作されている、ものとする。
【００１５】
さらに、前記ボルト頭部（２）にハンドル（８）を設ける、こともできる。
【発明の効果】
【００１６】
本発明のアンカー撤去工具によれば、あと施工アンカーを残置する場合であってもその末端部分を容易に切断して撤去することができるので、補修用コンクリートのかぶり厚を十分に確保してアンカーの錆の発生を回避し、修繕工事を完了した壁面の近くでアンカーが錆びることによる壁面のふくれや爆裂の発生などを効果的に防ぐことができる。また施工不良によりあと施工アンカーの下穴深さが不足している場合であっても、ある程度のかぶり厚を確保して補修用コンクリートによる補修を可能とすることができる。なお本発明のアンカー撤去工具により切断されるあと施工アンカー自体には特に改変をようすることなく、従来から用いられているものをそのまま使用することができる。
【００１７】
本発明者は試行錯誤の下、寸法等を改変した種々のアンカー撤去工具を試作し切断試験を行ったところ、挿通部の先端部の形状や挿通部の長さの変更、アンカー撤去工具の材料について工夫することにより、このアンカー撤去工具を用いたアンカー本体のねじ切りを、より容易かつ最適位置で切断を行うことができることを発見し本発明を完成した。
すなわち、挿通部の先端の形状を変更し拡開片の截頭面に押しつけられる面積を小さくすることで、大きな力によらずともアンカー本体のねじ切りが可能となり、また、挿通部の長さを変更することで、そのほぼ中央位置でアンカー本体をねじ切ることができる発見し本発明を完成した。なおアンカー本体と比して強靭な材料で本アンカー撤去工具を製作することで、耐久性が高く実用性のある工具が提供されるのは当然である。
【図面の簡単な説明】
【００１８】
【図１】撤去対象となるあと施工アンカーを示した図である。
【図２】あと施工アンカーの打ち込み手順を示した図である。
【図３】本実施形態のアンカー撤去工具の側面図である。
【図４】本実施形態のアンカー撤去工具の縦断面図である。
【図５】アンカー撤去工具の改変例を示した側面図である。
【図６】アンカー撤去工具の使用法等について説明した図である。
【図７】アンカー撤去工具の改変例を示した側面図である。
【図８】従来から用いられている一般的なあと施工アンカーを示した図である。
【発明を実施するための形態】
【００１９】
以下、本発明に係るアンカー撤去工具の実施形態について図面を参照しながら説明するが、アンカー撤去工具は撤去対象となるあと施工アンカーについて最適化されていることが好ましいため、まず一般的なあと施工アンカーの寸法等の一例について説明したあとに、このあと施工アンカーの撤去に用いるためのアンカー撤去工具について詳述するものとする。
【００２０】
仮設足場をコンクリート構造物の外壁等に一時的に固定するためのあと施工アンカーには使用目的・環境に応じて大小様々なものが使い分けられる。
具体的には比較的小さなもので、
・アンカー本体の全長３０ｍｍ：ねじ長さ１４ｍｍ
・アンカー本体のねじの呼びＭ１０
・下穴径１４．５ｍｍ：埋め込み深さ３０ｍｍ
比較的大きなもので、
・アンカー本体の全長８０ｍｍ：ねじ長さ３０ｍｍ
・アンカー本体のねじの呼びＭ２０
・下穴径２６ｍｍ：埋め込み深さ８０ｍｍ
のような寸法となっており、その材質は軟鉄で表面には三価クロメートメッキや亜鉛メッキが施されている。
【００２１】
本実施形態のアンカー撤去工具は上記の比較的小さなあと施工アンカーを撤去対象として最適化したものであるが、その比率をだいたい同じ程度に保持することで、当然に異なるサイズのあと施工アンカー等の撤去にも好適に適用することができる。
【００２２】
図１に撤去対象となるあと施工アンカーの側面図（ａ）およびそのＸ−Ｘ断面矢視図（ｂ）を示した。
このあと施工アンカー１０は、外径が１４ｍｍ、内径が８ｍｍでその全長が３０ｍｍの円筒状のアンカー本体２０と、アンカー本体２０の基端に先端側から嵌め込まれた先端の径が７ｍｍ、後端の径が１５ｍｍで全長が１５ｍｍの円錐台形状の拡開片２２とから構成されている。このアンカー本体２０には、その中間部位から基端へ向かって１６ｍｍの長さで伸びる４本のスリットである割溝１２によって形成されたスリーブ部１４と、中間部位から先端部の内周壁に１４ｍｍ幅に渡ってねじ溝１６が形成されたねじ部１８とが設けられている。
そして打ち込み前のあと施工アンカー１０はアンカー本体２０の基端に拡開片２２の先端が３ｍｍ程度軽く嵌め込まれただけの状態であるためその全長は４２ｍｍ程度となっている。
【００２３】
あと施工アンカー１０の打ち込みは図２に示したように、まずコンクリート構造物３２の壁面にアンカー本体２０の全長と同じ長さ（３０ｍｍ）で、アンカー本体２０の外径（１４ｍｍ）より０．５ｍｍ程度太い径の下穴３４を専用のコンクリートドリルで穿孔し、削り屑をきれいに取り除いてから、この下穴３４にあと施工アンカー１０を差し込んでやる。ここでこの下穴３４は使用前のあと施工アンカー１０の全長より浅いため、あと施工アンカー１０の先端部（アンカー本体２０の末端）は壁面から１２ｍｍ程度飛び出した状態となる。
【００２４】
そして壁面から飛び出したこのあと施工アンカー１０の先端部をハンマーで叩き込んでやることで、拡開片２２がアンカー本体２０のスリーブ部１４を押し広げてアンカー本体２０内に入り込み、押し広げられたスリーブ部１４の各片が下穴３４の周面に噛み付くことであと施工アンカー１０がコンクリート構造物３２の壁面に強固に固定される。なおあと施工アンカー１０をハンマーでの叩き込んでやる際に、その叩き込みを容易に行うために、図２に示すようなアンカー本体２０の末端に差し込んで使用する専用工具（叩き込み工具）を用いることもある。
【００２５】
図３に本実施形態のアンカー撤去工具の側面図、図４に本実施形態のアンカー撤去工具の縦断面図を示した。
【００２６】
このアンカー撤去工具１は軟鉄よりも強靭なステンレススチール（ＳＵＳ）を用いて作成されており、ボルト頭部２と、アンカー本体２０に螺合するねじ山が形成されたボルト部４と、ボルト部４の先端にこれと同軸で、かつ、アンカー本体２０の内部に挿通可能な径の挿通部６とから構成されている。
【００２７】
ボルト頭部２は通常のボルトと同様の六角形状をしており、一般的な仮設足場の組み立ての際に用いられる１６ｍｍのボルト・ナット（Ｍ１６）と同じ大きさ（径）となっている。これは足場組立の作業者が携行するラチェットレンチをそのまま利用できるようにするためである。
なお撤去対象となるあと施工アンカー１０が大きなものであり、アンカー本体２０の内径がＭ１６より大きい場合には、図５に改変例として側面図で示したように、このボルト頭部２を次に説明するボルト部４よりも細くなった六角柱形状としてやることもできる。また勿論、専用のレンチを用いてやれば、ボルト頭部２を通常のボルトと同様の六角形状とすることもできる。
【００２８】
ボルト部４はボルト頭部２の中心軸から伸び、アンカー本体２０に形成されたねじ溝１６に螺合するねじ山が３０ｍｍ程度に渡って形成されたＭ８の順ネジである。なおボルト部４の長さは１５ｍｍ程度以上であれば適当な長さに設定してやってもよい。
【００２９】
挿通部６は本発明の主要部分となる箇所であり、ボルト部４と同軸に８ｍｍの長さで伸びる外径が７ｍｍ弱となる円柱形状をしており、その先端部分は半球状（または円錐台状）に形成されている。なおこの先端部分の形状は半球状や円錐台状に限定されるものでなく、先端側の面積が少なくなる形状であれば角錐台状や細柱状など種々の形状とすることができる。
ここでこの挿通部６の長さは、壁面に打ち込まれたあと施工アンカー１０の空洞部分、すなわちアンカー本体２０内に入り込んだ拡開片２２の截頭面からアンカー本体２０の先端部までの長さのほぼ半分に設定してある。これは本発明者が種々の試作品を用いてあと施工アンカー１０のねじ切り試験を行った結果、この挿通部６の長さが最もねじ切りを行い易いことを発見したことに基づくものであり、また、このように設定することでねじ切り撤去できるアンカー本体２０部分をできるだけ多くして補修用コンクリートのかぶり厚を十分に確保することができるためである。
換言すれば、挿通部６の長さを下記［式１］の長さ（Ｓ）の±２０％の範囲に設定することでねじ切りの容易化とアンカー本体２０の撤去部分の最大化をバランスして両立することができる。
［式１］
Ｓ＝（Ｌ−Ｐ）／２
Ｌ：アンカー本体の全長、Ｐ：拡開片の全長
また挿通部６の先端部分を半球状（または円錐台状）に形成したことも本発明者による試行錯誤の試験の結果に基づくものであり、拡開片２２の截頭面に押しつけられる面積を小さくすることで、アンカー撤去工具１の挿通部６の先端部分と拡開片２２の截頭面との摩擦抵抗が軽減され、これによってより一層アンカー本体２０のねじ切りが容易化される。
【００３０】
次に本発明のアンカー撤去工具１の使用法等について図６を用いて説明する。
まずアンカー撤去工具１を、その先端の挿通部６から壁面に打ち込んだあと施工アンカー１０に差し込み、ボルト部４をアンカー本体２０のねじ部１８に手で螺合してやる。そして挿通部６の先端が拡開片２２の截頭面に当接してそれ以上手ではねじ込めなくなってから、携行しているラチェットレンチを用いてこれをさらに強く締め込んでやる。そうすることで軟鉄により作成されたアンカー本体２０はねじ切られる。
アンカー本体２０をねじ切った後には、そのままアンカー撤去工具１を緩める方向に回転させて抜くことでねじ切ったアンカー本体２０を下穴３４内から撤去することができる。最後にアンカー撤去工具１によりねじ切られて取り出されたアンカー本体２０の一部を手で回転させて抜き取ることでアンカーの撤去作業を完了する。
【００３１】
ねじ切りのメカニズムとしては、工具の挿通部６の先端が拡開片２２の截頭面に強く押し当てられることによる反力（引張力）と、スリーブ部１４の各片がコンクリート構造物３２の下穴３４の周面に噛み付き固定されたアンカー本体２０の基端とこの工具によって捻じられるアンカー本体２０の末端との間に生じる捩じり力（せん断力）とが同時に作用し、この力によりアンカー本体２０がねじ切られるものと考えられる。
【００３２】
ここでアンカー本体２０のねじ切りは、発明者による実験結果から、拡開片２２の截頭面に押し当てられた挿通部６のほぼ中間に対応する位置で行われることが分かっている。このことからこの位置にもっとも大きな力が作用するものと考えられ、そのためこの力への耐え得るボルト部４の長さを確保しつつ挿通部６の長さを調節することで、アンカー本体２０のねじ切り位置も調節することができる。
なおアンカー本体２０のねじ切りは、撤去する部分が多いほど補修用コンクリートのかぶり厚を多くすることができるため好ましいが、挿通部６の長さを短くしすぎると割溝１２とつながる亀裂が発生しスリーブ部１４が破損することで、打ち込んだあと施工アンカー１０が工具と供回りする事態が発生し、アンカー本体２０のねじ切りが困難となることもありうるため、挿通部６はある程度の長さ（割溝１２との距離が４ｍｍ以上）を有していることが必要である。
【００３３】
また図７に本実施形態のアンカー撤去工具の他の改変例を側面図で示した。
上記実施例では、アンカー撤去工具の締め込みは作業者が携行するラチェットレンチを用いて行うこととしたが、このアンカー撤去工具１ではボルト頭部２に一体化されたハンドル８を全体としてＴ字型となるように設けることで、ラチェットレンチによらずにその締め込みを行うことができるようにしたものである。すなわち設けたハンドル８をラチェットレンチよりも長いものとし、または両手でその締め込みを行うことができるようにすることで、より強い力をアンカー本体２０に作用させることができるため、アンカー本体２０が大きなものである場合などに有効な工具とすることができる。
【００３４】
このように本発明のアンカー撤去工具によれば、あと施工アンカーを残置する場合にもその末端部分を容易に切断して撤去することができるので、補修用コンクリートのかぶり厚を十分に確保してアンカーの錆の発生を回避し、壁面のふくれや爆裂の発生などを効果的に防ぐこと等ができる。また挿通部の長さを調整することにより、アンカー本体のねじ切り位置も調整することができる。
【符号の説明】
【００３５】
１  アンカー撤去工具
２  ボルト頭部
４  ボルト部
６  挿通部
８  ハンドル
１０  あと施工アンカー
１２  割溝
１４  スリーブ部
１６  ねじ溝
１８  ねじ部
２０  アンカー本体
２２  拡開片
３２  コンクリート構造物
３４  下穴
【図１】
0005628258.tif 000002
【図２】
0005628258.tif 000003
【図３】
0005628258.tif 000004
【図４】
0005628258.tif 000005
【図５】
0005628258.tif 000006
【図６】
0005628258.tif 000007
【図７】
0005628258.tif 000008
【図８】
0005628258.tif 000009